(57)【要約】【課題】  共通の処理シートに配置される点字との重なり部分を認識しながら、墨字の編集ができる文字情報処理装置、文字情報処理方法、プログラムおよび記憶媒体を提供する。【解決手段】  処理シート上の打刻領域に対する点字打刻と前記処理シート上の印刷領域に対する墨字印刷とが可能な文字情報処理において、表示画面上で前記墨字印刷のための１以上の墨字から成る墨字列を編集するに際して、前記打刻領域と前記印刷領域とが重なる重畳領域が存在するときに、前記重畳領域に少なくとも一部が印刷される墨字を重畳文字とし、前記重畳文字が前記墨字列に含まれるか否かを識別可能に表示することを特徴とする。【選択図】  図１１
2006198840.tif 000002
【特許請求の範囲】
【請求項１】
処理シート上の打刻領域に対する点字打刻と前記処理シート上の印刷領域に対する墨字印刷とが可能な文字情報処理装置であって、
前記点字打刻を行う打刻手段と、
前記墨字印刷を行う印刷手段と、
前記墨字印刷のための１以上の墨字から成る墨字列を表示画面に表示する表示手段と、
前記表示手段を制御し、前記墨字列を編集するに際して、前記打刻領域と前記印刷領域とが重なる重畳領域が存在するときに、前記重畳領域に少なくとも一部が印刷される墨字を重畳文字とし、前記重畳文字が前記墨字列に含まれるか否かを識別可能に表示させる墨字編集手段と、
を備えたことを特徴とする文字情報処理装置。
【請求項２】
前記墨字編集手段は、
前記墨字列を含む墨字行を、前記印刷領域に１行以上並べて配置設定する墨字行配置設定手段と、
前記重畳文字を含む前記墨字行を重畳行とし、前記墨字行の単位で、前記重畳行か否かを判別する重畳行判別手段と、
前記墨字行の単位で、前記重畳行と判別されたか否かを識別可能に表示させる重畳行識別表示手段と、
を有することを特徴とする、請求項１に記載の文字情報処理装置。
【請求項３】
前記重畳行識別表示手段は、
重畳している旨を示す重畳マークを前記重畳行に付す重畳マーク付加手段と、
前記重畳行の少なくとも一部または前記重畳行の行番号に対して、文字装飾を施す重畳行装飾手段と、
の少なくとも１の手段を有することを特徴とする、請求項２に記載の文字情報処理装置。
【請求項４】
墨字行配置設定手段は、前記墨字行の単位で文字サイズを設定する墨字サイズ設定手段を有することを特徴とする、請求項２または３に記載の文字情報処理装置。
【請求項５】
墨字サイズ設定手段は、前記印刷領域に対する前記墨字行の相対的な文字サイズを設定する墨字行相対サイズ設定手段を有することを特徴とする、請求項４に記載の文字情報処理装置。
【請求項６】
前記重畳領域に対する墨字印刷である重畳印刷を否認可能な重畳印刷否認手段と、
前記重畳印刷が否認されたときに、前記印刷領域から前記重畳領域を除いた領域を新たな前記印刷領域として設定する印刷領域再設定手段と、
をさらに備えたことを特徴とする、請求項１ないし５のいずれかに記載の文字情報処理装置。
【請求項７】
前記墨字編集手段は、
前記印刷領域に編集対象の前記墨字列の全てが配置可能か否か判別する配置可否判別手段と、
配置不可のときに、その旨を報知する配置不可報知手段と、
を有することを特徴とする、請求項１ないし６のいずれかに記載の文字情報処理装置。
【請求項８】
編集対象の前記墨字列の少なくとも一部を指定して、指定部分の墨字に対応する点字を打刻するための点字情報を作成する点字情報作成手段をさらに備えたことを特徴とする、請求項１ないし７のいずれかに記載の文字情報処理装置。
【請求項９】
処理シート上の打刻領域に対する点字打刻と前記処理シート上の印刷領域に対する墨字印刷とが可能な文字情報処理方法であって、
表示画面上で前記墨字印刷のための１以上の墨字から成る墨字列を編集するに際して、
前記打刻領域と前記印刷領域とが重なる重畳領域が存在するときに、前記重畳領域に少なくとも一部が印刷される墨字を重畳文字とし、前記重畳文字が前記墨字列に含まれるか否かを識別可能に表示することを特徴とする文字情報処理方法。
【請求項１０】
請求項１ないし８のいずれかに記載の文字情報処理装置を機能させることを特徴とするプログラム。
【請求項１１】
請求項１０に記載のプログラムを、プログラム処理可能な装置によって読出可能に記憶することを特徴とする記憶媒体。
【発明の詳細な説明】
【技術分野】
【０００１】
本発明は、共通の処理シートに墨字の印刷と点字の打刻とを行う文字情報処理装置、文字情報処理方法、プログラムおよび記憶媒体に関する。
【背景技術】
【０００２】
従来、視覚障害者が認識（触読）可能な点字と、晴眼者が視認可能な墨字とを、同一の処理シート（テープ等）に対して並べて（または重ねて）配置して、視覚障害者と晴眼者の両者が認識可能な処理シート（点字ラベル）が知られている（例えば、特許文献１参照）。また、墨字印刷と点字打刻とを同一の文字情報に基づいて実行して、それらが並ぶ処理シートを作成できる文字情報処理装置も知られている（例えば、特許文献２参照）。
【特許文献１】特開平１０−２７５２０６号公報
【特許文献２】特開平１１−３０１０３３号公報
【発明の開示】
【発明が解決しようとする課題】
【０００３】
ところで、点字は触読されるため色は付されないものであり、一方の墨字は目視によって判読されるものなので、点字と墨字とが重なっても、基本的には双方とも認識可能なはずであり、このため、墨字の編集は、点字の配置と関係なく墨字が認識可能であることを前提として行われる。しかしながら、例えば墨字の文字サイズが小さくて点字の凸部によって文字形状が崩れて見にくくなったり、あるいは処理シートの色が凸部（の影等）を目立たせる色であるなど、処理シート上の双方の状況（属性）や重なり具合等によっては、点字の凸部と重なって墨字が読み取りにくい場合がある。
【０００４】
本発明は、共通の処理シートに配置される点字との重なり部分を認識しながら、墨字の編集ができる文字情報処理装置、文字情報処理方法、プログラムおよび記憶媒体を提供することを目的とする。
【課題を解決するための手段】
【０００５】
本発明の文字情報処理装置は、処理シート上の打刻領域に対する点字打刻と前記処理シート上の印刷領域に対する墨字印刷とが可能な文字情報処理装置であって、前記点字打刻を行う打刻手段と、前記墨字印刷を行う印刷手段と、前記墨字印刷のための１以上の墨字から成る墨字列を表示画面に表示する表示手段と、前記表示手段を制御し、前記墨字列を編集するに際して、前記打刻領域と前記印刷領域とが重なる重畳領域が存在するときに、前記重畳領域に少なくとも一部が印刷される墨字を重畳文字とし、前記重畳文字が前記墨字列に含まれるか否かを識別可能に表示させる墨字編集手段と、を備えたことを特徴とする。
【０００６】
また、本発明の文字情報処理方法は、処理シート上の打刻領域に対する点字打刻と前記処理シート上の印刷領域に対する墨字印刷とが可能な文字情報処理方法であって、表示画面上で前記墨字印刷のための１以上の墨字から成る墨字列を編集するに際して、前記打刻領域と前記印刷領域とが重なる重畳領域が存在するときに、前記重畳領域に少なくとも一部が印刷される墨字を重畳文字とし、前記重畳文字が前記墨字列に含まれるか否かを識別可能に表示することを特徴とする。
【０００７】
これらによれば、墨字印刷のための墨字（墨字列）を編集するに際して、点字打刻のための打刻領域と墨字印刷のための印刷領域と（の少なくとも一部同士）が重なるときに、その重なる領域（重畳領域）に少なくとも一部が印刷される墨字（重畳文字）が、墨字列に含まれるか否か識別可能に表示するので、共通の処理シートに配置される点字と重なるか否かを認識できる。また、重畳文字を含む墨字列と含まない墨字列がある場合には、重畳領域の境界を認識できる。したがって、点字との重なり部分を認識しながら、墨字の編集ができ、これにより、点字との重なりを考慮した編集が可能になる。なお、この場合の重畳領域は、打刻領域と印刷領域との少なくとも一部同士が重なる領域なので、打刻領域内に印刷領域が全て含まれるときには、印刷領域全てが重畳領域となり、印刷領域内に打刻領域が全て含まれるときには、打刻領域全てが重畳領域となり、いずれでもないときには、相互に重なっている領域のみが重畳領域となる。また、重畳領域に少なくとも一部が印刷される墨字を重畳文字とするので、文字通り一部が重畳領域内に印刷される墨字も、全体が重畳領域内に印刷される墨字も、同様に重畳文字となる。また、この場合の重畳文字を含む墨字列としては、重畳文字の１文字のみの墨字列、重畳文字のみの複数文字の墨字列、重畳文字でない墨字と重畳文字とが混在する墨字列、などがある。
【０００８】
また、上述の文字情報処理装置において、前記墨字編集手段は、前記墨字列を含む墨字行を、前記印刷領域に１行以上並べて配置設定する墨字行配置設定手段と、前記重畳文字を含む前記墨字行を重畳行とし、前記墨字行の単位で、前記重畳行か否かを判別する重畳行判別手段と、前記墨字行の単位で、前記重畳行と判別されたか否かを識別可能に表示させる重畳行識別表示手段と、を有することが好ましい。
【０００９】
これによれば、１行以上の墨字行を印刷領域に配置するので、重畳領域内に一部または全部が印刷（配置）される墨字行も有り得る。この場合の墨字行は墨字列を含み、墨字列は１以上の墨字から成るので、墨字行も１以上の墨字から成る。そして、墨字行の単位で、重畳行（重畳文字を含む墨字行）か否かを判別して、その結果（重畳行か否か）を識別可能に表示するので、墨字行の単位で、共通の処理シートに配置される点字と重なるか否かを認識でき、また、重畳文字を含む墨字行（重畳行）と含まない墨字列がある場合には、重畳領域の境界を認識できる。このため、共通の処理シートに配置される点字との重なり部分を、墨字行の単位で認識でき、これにより、どの墨字行が点字と重なるか（重畳領域に印刷されるか）等を容易に把握でき、それを参考にしながら、墨字の編集が容易にできる。
【００１０】
また、上述の文字情報処理装置において、前記重畳行識別表示手段は、重畳している旨を示す重畳マークを前記重畳行に付す重畳マーク付加手段と、前記重畳行の少なくとも一部または前記重畳行の行番号に対して、文字装飾を施す重畳行装飾手段と、の少なくとも１の手段を有することが好ましい。
【００１１】
これによれば、重畳行に対して重畳マークを付したり、重畳行の一部または全部（少なくとも一部）や行番号に対して文字装飾を施すことにより、各墨字行が重畳行か否か、および重畳行でない墨字行と混在するときにはそれらの境界を、識別可能に表示でき、これにより、共通の処理シートに配置される点字との重なり部分を、墨字行の単位で認識（把握）でき、それを参考にしながら、墨字の編集が容易にできる。なお、この場合の重畳マークとしては、絵柄や模様や簡易図形的等のいわゆる記号等と呼ばれるマークの他、例えば重畳行を囲む各種の括弧や枠等でも良い。また、文字装飾としては、アンダーライン、取消ライン、アッパーライン、文字囲、塗りつぶし、傍点、中抜き、（白黒）反転、回転、影文字、文字色（を変える）、各種（点、線、網状等の実線、破線等）の網掛け、等々、一般的な文字装飾のいずれでも良く、仕様上、任意に選択して設定して良い。
【００１２】
また、墨字行を配置する上述の各文字情報処理装置において、墨字行配置設定手段は、前記墨字行の単位で文字サイズを設定する墨字サイズ設定手段を有することが好ましい。
【００１３】
これによれば、墨字行単位で各墨字行の文字サイズを設定できるので、重畳行とその他の墨字行との文字サイズのバランスを調整したり、複数行のうちの重畳行となる行数を調整したりするなど、重畳行とその他の墨字行とを区別して扱いやすくなり、編集等の操作性が向上する。
【００１４】
また、上述の文字情報処理装置において、墨字サイズ設定手段は、前記印刷領域に対する前記墨字行の相対的な文字サイズを設定する墨字行相対サイズ設定手段を有することが好ましい。
【００１５】
これによれば、印刷領域に対する各墨字行の相対的な文字サイズを設定できるので、ドットサイズ等の具体的（絶対的）な文字サイズを考慮することなく、あるいは考慮するための参考として、相対的な文字サイズを設定することにより、各墨字行の相互バランスや重畳行の行数等を調整し易くなり、さらに操作性が向上する。
【００１６】
また、上述の各文字情報処理装置において、前記重畳領域に対する墨字印刷である重畳印刷を否認可能な重畳印刷否認手段と、前記重畳印刷が否認されたときに、前記印刷領域から前記重畳領域を除いた領域を新たな前記印刷領域として設定する印刷領域再設定手段と、をさらに備えたことが好ましい。
【００１７】
これによれば、重畳領域に対する墨字印刷（重畳印刷）を否認可能なので、否認されたときには、重畳領域を除く領域を新たな印刷領域として再設定する。このため、重畳領域に印刷したくない場合、すなわち打刻領域には一切の墨字印刷をしたくない場合等では、重畳印刷の否認により、それ以外の印刷領域にのみ墨字印刷を行うことができ、編集操作としての操作性が向上する。
【００１８】
また、上述の各文字情報処理装置において、前記墨字編集手段は、前記印刷領域に編集対象の前記墨字列の全てが配置可能か否か判別する配置可否判別手段と、配置不可のときに、その旨を報知する配置不可報知手段と、を有することが好ましい。
【００１９】
これによれば、印刷領域に編集対象の墨字列の全てが配置可能か否か判別して、配置不可のときに、その旨を報知するので、その報知により、編集の必要性を把握でき、編集時の操作性が向上する。なお、この場合の報知は、表示画面へのその旨のメッセージ表示等でも良いし、ビープ音等の表示以外の方法による報知でも良い。
【００２０】
また、上述の各文字情報処理装置において、編集対象の前記墨字列の少なくとも一部を指定して、指定部分の墨字に対応する点字を打刻するための点字情報を作成する点字情報作成手段をさらに備えたことが好ましい。
【００２１】
これによれば、編集対象の墨字列の少なくとも一部を指定して、指定部分の墨字に対応する点字を打刻するための点字情報を作成するので、点単位での点字情報の入力などを要することなく、編集中あるいは編集後の墨字列に基づいて、点字情報を作成でき、墨字印刷ばかりでなく、点字打刻までを含めた全体としての操作性が向上する。
【００２２】
また、本発明のプログラムは、上述のいずれかの文字情報処理装置を機能させること、または、上述の文字情報処理方法を実行可能なことを特徴とする。また、本発明の記憶媒体は、上述のプログラムを、プログラム処理可能な装置によって読出可能に記憶することを特徴とする。
【００２３】
このプログラムでは、上述のいずれかの文字情報処理装置を機能させることができるので、または、上述の文字情報処理方法を実行可能なので、プログラム処理可能な装置によって処理されることにより、または、プログラム処理可能な装置によって記憶媒体に記憶されたプログラムを読み出して実行することにより、共通の処理シートに配置される点字との重なり部分を認識しながら、墨字の編集ができる。
【発明を実施するための最良の形態】
【００２４】
以下、本発明の一実施形態に係るラベル作成装置（文字情報処理装置）について、添付図面を参照しながら詳細に説明する。
【００２５】
図１および図２に示すように、このラベル作成装置１は、装置ケース２により外郭が形成され、装置ケース２の前部上面には各種入力キーを備えたキーボード３が配置されると共に、後部上面には開閉蓋２１が取り付けられ、開閉蓋２１の表側には長方形のディスプレイ４が配設されている。
【００２６】
また、開閉蓋２１の内側には、テープカートリッジＣから繰り出されるテープＴに対して墨字印刷（文字や記号等のキャラクタの印刷）を行う墨字印刷部１２０が組み込まれ、テープカートリッジＣを装着するためのカートリッジ装着部６が窪入形成されており、テープカートリッジＣは、蓋体開放ボタン１４の押下により開閉蓋２１が開放された状態でカートリッジ装着部６に着脱自在に装着される。また、開閉蓋２１には、これを閉止した状態でテープカートリッジＣの装着／非装着を視認するための覗き窓２１ａが形成されている。
【００２７】
また、開閉蓋２１の右側（装置ケース２の後半右部）には、その内部に点字打刻を行うアッセンブリ（点字打刻部１５０：図２右上に図示）が組み込まれ、その上面にはこれを覆うように打刻部カバー３０が取り付けられている。また、この打刻部カバー３０の手前側には、ユーザによりテープ（処理シート）Ｔが手差し挿入される打刻テープ挿入口３１が、また奥側には、打刻後のテープＴが排出される打刻テープ排出口３２が、テープ走行路（送り経路）７０に沿って下り傾斜となるように、それぞれ窪入形成されている。さらに、打刻テープ挿入口３１付近には、テープ幅方向に幅調整可能な手差しガイド３１ａが設けられている。
【００２８】
点字打刻部１５０は、３個の打刻ピン（打刻ヘッド）４１（図５（ｂ）参照）により点字打刻を行う打刻ユニット８０と、打刻テープ挿入口３１に挿入されたテープＴを打刻テープ排出口３２に向けて送るテープ送りユニット（テープ送り機構）６０と、テープＴが搬送されるテープ走行路７０とを有し、テープ走行路７０を構成する装置フレーム片６５にこれらのユニットが組み込まれて打刻アッセンブリが構成され、装置ケース２に一体として装着されるようになっている。また、テープ走行路７０に沿ってテープ送りユニット６０の駆動により送られていくテープＴに対し、打刻ユニット８０により３個の打刻ピン４１を選択的に駆動することで点字Ｂが形成される。
【００２９】
装置ケース２の右側部中央には、電源供給のための電源供給口１１が形成されるとともに、前半右側部には、パソコン等の図外の外部装置と接続するための接続口（インタフェース）１２が形成され、接続することにより、外部装置からの文字情報に基づいて墨字印刷や点字打刻を行い得るようになっている。また、装置ケース２の左側部には、カートリッジ装着部６と外部とを連通する印刷テープ排出口２２が形成され、この印刷テープ排出口２２には、墨字印刷部１２０から送り出したテープＴを切断するための切断部１４０が臨んでいる。そして、切断部１４０によりテープＴの後端部が切断されることにより、印刷テープ排出口２２から墨字印刷後のテープＴが排出される。
【００３０】
また、ラベル作成装置１は、図３に示すように、制御系から見た基本的な構成として、キーボード３およびディスプレイ４を有して、文字情報の入力や各種情報の表示などマンマシンインタフェースを司る操作部１１０と、テープカートリッジＣ、印刷ヘッド７および印刷送りモータ１２１を有して、テープＴおよびインクリボンＲを搬送しながらテープＴ上に墨字印刷を行う墨字印刷部１２０と、フルカッタ１４２およびハーフカッタ１４４並びにこれらをそれぞれ駆動するフルカッタモータ１４１およびハーフカッタモータ１４３を有して、印刷済みテープＴを切断する切断部１４０と、を備えている。
【００３１】
また、ソレノイド４７、打刻ピン４１および打刻送りモータ１５１を有して、テープＴを搬送しながらテープＴに点字打刻を行う点字打刻部１５０と、テープＴ（テープカートリッジＣ）の種別を検出するテープ識別センサ１７１、点字打刻部１５０においてテープＴの先端を検出する例えば透過型の先端検出センサ１７２、同じく点字打刻部１５０において周囲温度（環境温度）を検出する温度検出センサ１７３、印刷送りモータ１２１の回転速度を検出する印刷部回転速度センサ１７４、および打刻送りモータ１５１の回転速度を検出する打刻部回転速度センサ１７５を有して、各種検出を行う検出部１７０と、をさらに備えている。
【００３２】
また、ディスプレイドライバ１８１、ヘッドドライバ１８２、印刷送りモータドライバ１８３、カッタモータドライバ１８４、打刻ドライバ１８５および打刻送りモータドライバ１８６を有し、各部を駆動する駆動部１８０と、電源供給口１１と接続され、各部に電力を供給する電源部１９０と、各部と接続され、ラベル作成装置１全体を制御する制御部２００と、をさらに備えている。
【００３３】
制御部２００は、ＣＰＵ２１０、ＲＯＭ２２０、ＲＡＭ２３０および入出力制御装置（以下、「ＩＯＣ：Input Output Controller」という）２５０を備え、互いに内部バス２６０により接続されている。ＲＯＭ２２０は、墨字印刷処理や点字打刻処理等の各種処理をＣＰＵ２１０で制御するための制御プログラムを記憶する制御プログラムブロック２２１と、墨字印刷を行うための文字フォントデータや点字打刻を行うための点字フォントデータの他、印刷制御や打刻制御のための制御データ等を記憶する制御データブロック２２２とを有している。
【００３４】
ＲＡＭ２３０は、汎用フラグやレジスタ等として使用されるフラグエリアブロック２３１の他、墨字情報（墨字文字列（墨字列）用のテキストデータや墨字画像データを含む）を記憶する墨字データブロック２３２と、点字情報（点訳文字列用のテキストデータ、マスイメージ画像データ、点字画像データ、それを１８０°回転させた状態の反転点字画像データＢ´（図９参照）等を含む）を記憶する点字データブロック２３３と、ディスプレイ４に表示するための表示画像データを記憶する表示データブロック２３４と、設定された墨字印刷領域（印刷領域、印刷配置部）Ｅｐと点字打刻領域（打刻領域、打刻配置部）Ｅｂのレイアウトを記憶するレイアウトブロック２３５と、その他の汎用のワークエリアとなる各種ワークエリアブロック２３６と、を有し、制御処理のための作業領域として使用される。また、ＲＡＭ２３０は電源が切断されても記憶したデータを保持しておくように常にバックアップされている。
【００３５】
ＩＯＣ２５０には、ＣＰＵ２１０の機能を補うと共に各種周辺回路とのインタフェース信号を取り扱うための論理回路が、ゲートアレイやカスタムＬＳＩなどにより構成されて組み込まれている。例えば基本クロックの分周信号をカウントして種々の計時を行うタイマ２５１なども組み込まれている。これにより、ＩＯＣ２５０は、キーボード３からの入力データや制御データあるいは検出部１７０からの各種センサ値を、そのまま或いは加工して内部バス２６０に取り込むと共に、ＣＰＵ２１０と連動して、ＣＰＵ２１０から内部バス２６０に出力されたデータや制御信号を、そのまま或いは加工して駆動部１８０に出力する。
【００３６】
そして、ＣＰＵ２１０は、上述の構成により、ＲＯＭ２２０内の制御プログラムに従って、ＩＯＣ２５０を介してラベル作成装置１内の各部から各種信号・データを入力するとともに、入力した各種信号・データに基づいてＲＡＭ２３０内の各種データを処理し、ＩＯＣ２５０を介してラベル作成装置１内の各部に各種信号・データを出力することにより、墨字印刷処理や点字打刻処理の制御などを行う。
【００３７】
例えば、ＣＰＵ２１０は、キーボード３より文字情報（墨字列テキストデータ等）が入力されると、これに基づいて墨字（画像データ）Ｐおよび点字（画像データ）Ｂを生成し、必要に応じて両画像データ間での長さ等の調整を行うとともに、反転点字（画像データ）Ｂ’を用意する（図９参照）。また、調整前または調整後の墨字（画像データ：余白データを含む）Ｐを墨字データブロック２３２に記憶すると共に、同じく調整前または調整後の点字（画像データ：余白データを含む）Ｂおよび反転点字（画像データ）Ｂ’を点字データブロック２３３に記憶する。
【００３８】
また、キーボード３から墨字印刷および点字打刻の指示を取得すると、印刷送りモータ１２１の駆動を開始し、印刷部回転速度センサ１７４の検出結果に応じて印刷ヘッド７を駆動することにより、墨字Ｐの墨字印刷を行う。その後、必要に応じて調整済みの所定長さのテープ送りを行い、フルカッタ１４２によりテープ後端部を切断して、印刷テープ排出口２２からテープＴを排出する。
【００３９】
図１〜図３を参照して、さらに詳述する。上述の状態から、引き続き（リセット操作や電源オフ操作が無い状態で）、ユーザによる手差し挿入により、短冊状に切断されたテープＴが打刻テープ挿入口３１に挿入されると、打刻ユニット８０およびテープ送りユニット６０を駆動することにより、点字Ｂ（または反転点字Ｂ′）の点字打刻を行う。そして、打刻終了後、打刻送りモータ１５１の駆動により、必要に応じて調整済みの所定長さのテープ送りを行って、打刻テープ排出口３２からテープＴを排出する。
【００４０】
ここで、図４を参照し、テープＴ上に形成される点字Ｂ（６点点字Ｂ）について説明する。
【００４１】
点字器や点字タイプライタ等で慣用されている１文字（１マス）や文字間（マス間）の仕様（以下「民間仕様」）によれば、同図に示すように、６点点字Ｂは、縦３個×横２個の６個の点（打刻ポイント：いわゆる「１の点」〜「６の点」と呼ばれる６個の点：図右上に注記）で１マス２０１が構成され、６個の点のうちの打刻点および非打刻点のパターンにより、この１マス２０１で、１文字や濁点その他の属性を表現するものである。例えば図４（ａ）は、１の点、２の点、５の点、６の点を打刻点とし、３の点、４の点を非打刻点とすることにより、文字情報「し」を表現する点字Ｂを示す図である。
【００４２】
６点点字Ｂは、１マス２０１が縦３個×横２個の配置パターンで６個の打刻ポイント２０１ａ〜２０１ｆに分割されており、縦方向のピッチが略２．４ｍｍ、マス内の横方向のピッチが略２．１ｍｍ、マス間のピッチは略３．３ｍｍとなっている。同図では、６個の打刻ポイント２０１ａ〜２０１ｆのうち「し」を表現すべく４個の打刻ポイント２０１ａ、２０１ｂ、２０１ｅ、２０１ｆが選択的に打刻されて、テープＴ上に例えば角の丸まった円筒形、半球形、円錐形、四角錐形等の断面形状で打刻高さＨｂ（図４（ｂ）参照）の４個の打刻凸部２０２ａ、２０２ｂ、２０２ｅ、２０２ｆが形成されている。なお、６点点字Ｂを打刻するために、１マス２０１の大きさ（テープ幅方向長さ）から換算して、テープ幅１２ｍｍ（後述のテープＴ３）以上のテープＴを用意している。
【００４３】
また、ラベル作成装置１では、打刻ユニット８０として相互に交換可能な２種類のユニットが用意されており、一方は直径が略１．４ｍｍの小形の小打刻凸部２０３を形成し、他方は直径が略１．８ｍｍの大形の大打刻凸部２０４を形成する。大小２種類の打刻凸部２０３、２０４は、その用途によって使い分けられるものであり、例えば、小打刻凸部２０３が点字Ｂの読み取りに慣れた者（先天盲者）向けであって、大打刻凸部２０４が初心者（中途失明者）向けである。また、同一直径においても、用途や好みによって、打刻高さＨｂを調整（可変）可能になっている。
【００４４】
なお、点字Ｂには、上述のような仮名文字や数字等を表す６点点字Ｂの他、漢字を表す８点点字（１マスが縦４個×横２個の点で構成される点字）も使用されている。本実施形態では、６点点字Ｂを形成する場合を例に挙げて説明するが、８点点字を形成するラベル作成装置においても本発明は適用可能である。また、実際の点字の打刻結果としては、打刻点が凸部となるだけであり、非打刻点は平坦なので見えないが、本実施形態で参照する図面の点字の表記では、説明の便宜上、図４で上述のように、打刻点および非打刻点を、「○」の実線（＋斜線網掛け）および点線で明記する。
【００４５】
図１〜図３を参照して、さらに詳述する。キーボード３には、文字キー群３ａ、および各種動作モード等を指定するための機能キー群３ｂが配列されている。文字キー群３ａは、墨字印刷や点字打刻を行うための文字情報を入力するためのものであり、ＪＩＳ配列に基づいたフルキー構成となっている。また、機能キー群３ｂには、一般のワープロ等と同様に、漢字変換等のための変換キー、処理の取り消し等のための取消キー、カーソル移動用のカーソルキー、各種選択画面における選択肢の決定やテキスト入力時の改行のための確定（エンター）キー、簡易図形や記号等を読み出すための記号キー、文字サイズや割付その他のスタイルを選択・設定するためのスタイルキーなどが含まれる。
【００４６】
また、さらに機能キー群３ｂには、墨字印刷や点字打刻を実行させるための印刷・実行キー（印刷キー）、点字打刻部１５０におけるテープＴの送り開始を指示する送り開始キー、手動により点字打刻を行わせる打刻開始キーの他、墨字印刷や点字打刻を行う処理モードを選択するためのモードキー、墨字印刷領域Ｅｐと点字打刻領域Ｅｂの配置を設定するためのレイアウトキー、その配置結果を印刷等の実行前にプレビュー表示させるためのプレビューキー、それをスクロール表示させるためのスクロールキー、点字情報を入力・編集するための点字入力キー、墨字その他の通常文字列を点字に変換（点訳）する際や点字のマスを読み取った際の仲介の文字列（点訳文字列）を生成するための点訳キー、印刷・表示濃度や打刻高さ等の処理環境設定のための環境キーなどが含まれる。
【００４７】
モードキーによって選択される処理モードとしては、入力された文字情報に基づいて墨字印刷および点字打刻を行う第１処理モード（図８（ａ）参照）、入力された文字情報に基づいて墨字印刷のみを行う第２処理モード（同図（ｂ）参照）、入力された文字情報に基づいて点字打刻のみを行う第３処理モード（同図（ｃ）参照）があり、いずれか１つの処理モードが選択される。
【００４８】
ディスプレイ４は、横方向（Ｘ方向）約１２ｃｍ×縦方向（Ｙ方向）５ｃｍの長方形の形状の内側に、１９２ドット×８０ドットの表示画像を表示可能であり、ユーザがキーボード３から墨字や点字の情報を入力・作成・編集したりする際に用いられる。また、各種エラーやメッセージ（指示内容）を表示し、ユーザに報知する。
【００４９】
墨字印刷部１２０において、カートリッジ装着部６には、ヘッドカバー２０ａ内にサーマルヘッドから成る印刷ヘッド７が内蔵されたヘッドユニット２０と、印刷ヘッド７に対峙するプラテン駆動軸２５と、インクリボンＲを巻き取る巻き取り駆動軸２３と、テープリール１７の位置決め突起２４と、を備えている。また、カートリッジ装着部６の下側には、プラテン駆動軸２５および巻き取り駆動軸２３を回転させる印刷送りモータ１２１が内蔵されている。
【００５０】
テープカートリッジＣは、カートリッジケース５１内部にテープリール１７とリボンリール１９とを収容して構成されており、テープＴとインクリボンＲは同じ幅で構成されている。また、ヘッドカバー２０ａに差し込むための貫通孔５５が形成されており、テープＴとインクリボンＲとが重なる部分に対応して、プラテン駆動軸２５に嵌合されて回転駆動するプラテンローラ５３が配置されている。また、リボンリール１９から繰り出されたインクリボンＲは、ヘッドカバー２０ａを周回して、リボンリール１９に近接配置されたリボン巻き取りリール５４に巻き取られるようになっている。
【００５１】
テープカートリッジＣがカートリッジ装着部６に装着されると、ヘッドカバー２０ａに貫通孔５５が、位置決め突起２４にテープリール１７の中心孔１７ａが、プラテン駆動軸２５にプラテンローラ５３が、巻き取り駆動軸２３にリボン巻き取りリール５４の中心孔がそれぞれ差し込まれ、テープＴおよびインクリボンＲを挟み込んで印刷ヘッド７がプラテンローラ５３に当接して墨字印刷が可能になる。そして、墨字印刷後のテープＴは、印刷テープ排出口２２に送られる。
【００５２】
テープＴは、裏面に粘着剤層（粘着層）が設けられた基材テープ（基材シート：情報形成層）Ｔｂと、この粘着剤層を覆うように基材テープＴｂに貼付された剥離テープ（剥離シート：剥離層）Ｔｅとから構成されている。基材テープＴｂは、表側から、インクリボンＲから感熱転写されるインクの定着性を高めた受像層と、基材テープＴｂの主体を為すポリエチレンテレフタレート（ＰＥＴ）製のフィルムで構成された基材層と、粘着剤で構成された粘着剤層と、を積層して構成されている。剥離テープＴｅは、基材テープＴｂをラベルとして使用する時まで粘着剤層に埃などが付着しないようにするためのものであって、表面にシリコン処理がなされた上質紙（実施形態のものはＰＥＴ製）などで構成されている。
【００５３】
また、テープＴは、テープ種別（テープ幅、テープ色、墨字インク色、テープ材質など）が異なる複数種のものが用意されており、この種別を指標する複数の孔（図示省略）がカートリッジケース５１の裏面に設けられている。また、複数の孔に対応してカートリッジ装着部６には、これらを検出するテープ識別センサ（マイクロスイッチ）１７１が複数設けられており、このテープ識別センサ１７１の状態を検出することで、テープ種別を判別できるようになっている。なお、本実施形態では、テープ幅２４ｍｍ（テープＴ１）、テープ幅１８ｍｍ（テープＴ２）、テープ幅１２ｍｍ（テープＴ３）の３種を例に挙げて説明する（図６参照）。
【００５４】
次に、切断部１４０において、フルカッタ１４２は、詳細は図示しないが、上下方向にスライドカット可能な斜刃のカッタ刃を有するスライド形式のもので、フルカッタモータ１４１を駆動源とするクランク機構を介して、カッタ刃（カッタホルダ）を、テープＴの幅方向にスライド動作させるようになっている。カッタ刃がスライド動作すると、これに臨むテープＴの基材テープＴｂおよび剥離テープＴｅの両方を切断、すなわちテープＴをフルカットするようになっている。
【００５５】
また、同様に、ハーフカッタ１４４は、フルカッタ１４２と概ね同形状のスライドカット可能な斜刃のカッタ刃を有するスライド形式のもので、テープ送り上流側（テープカートリッジＣに近い側）に配設され、ハーフカッタモータ１４３を駆動源とするクランク機構を介して、テープＴの幅方向にスライド動作可能に構成されている。この場合、カッタ刃の突出量は、フルカッタ１４２の場合と異なり、基材テープＴｂのみをカットする突出量に調整され、カッタ刃がスライド動作すると、これに臨むテープＴの基材テープＴｂのみを切断、すなわちテープＴをハーフカットするようになっている。
【００５６】
次に、点字打刻部１５０において、打刻ユニット８０は、図５に示すように、テープＴの裏面側に配設されると共に上記３個の打刻ピン４１が組み込まれた打刻部材（打刻ヘッド）８１と、テープＴを挟んで打刻部材８１と対向する位置で打刻ピン４１の突き上げ（打刻）を受ける打刻受け部材８２とを備え、テープ走行路７０を挟むように固定配置されている。
【００５７】
打刻部材８１は、テープ幅方向（図示左右方向）に沿って、２．４ｍｍの間隔で配列された３個の打刻ピン４１を備えており、６個のうち縦３個の打刻ポイント２０１ａ〜２０１ｃ（または２０１ｄ〜２０１ｆ：図４（ａ）参照）に対応していると共に、ソレノイド４７を駆動源とした直線運動をガイドするガイド部材４５によって、テープＴに対し垂直に保持されている。打刻ピン４１の頭部４１ａは、打刻した打刻凸部２０２の形状が角の丸まった円筒形、半球形、円錐形、四角錐形等の断面形状（図４（ｂ）参照）となるような形状に形成されている。
【００５８】
ここで、ソレノイド４７によりプランジャー４８が直線運動を行うと、アーム部材４６が支持部材４９を支点として回動し、打刻ピン４１がテープＴに対し垂直方向に直線運動を行う。そして、３個のアーム部材４６にそれぞれ接続された３個のソレノイド４７は、三角形状の角部に位置するようにそれぞれ配設されている。一方、打刻受け部材８２は、３個の打刻ピン４１と対向する面４２ａに、３個の打刻ピン４１に対応する３個の打刻受け凹部４３が形成されている。そして、この打刻ピン４１と打刻受け部材８２とにより、テープＴに打刻凸部２０２を形成する。なお、３個の打刻ピン４１と対向する面４２ａは、打刻受け凹部４３を形成する代わりに、合成ゴム等の弾性材で構成した平坦な面としてもよい。
【００５９】
また、図６に示すように、テープ送りユニット６０は、送りローラ６１と、それを装置フレーム片６５に支持する支持部材６２と、送りローラ６１を回転させるための正逆回転可能な打刻送りモータ１５１（図３参照）とを有している。送りローラ６１は、駆動ローラ（図示省略）および従動ローラ６１ａから成るグリップローラであり、従動ローラ６１ａには、形成された点字Ｂを押し潰すことがないよう、干渉を逃げるように、環状溝６３が形成されている。
【００６０】
また、打刻テープ挿入口３１には、テープ幅の大きいものからテープＴ１、Ｔ２、Ｔ３（テープ幅２４、１８、１２ｍｍ）が挿入可能であり、最大テープ幅のテープＴ１については上下ガイド７１、７２によってガイドされ、それ以外のテープＴ２、Ｔ３については、下ガイド部材７１のみによってガイドされ、ユーザによりその先端がテープ送りユニット６０（送りローラ６１）に到達するまで（挿入可能な位置まで）手差し挿入される。そして、キーボード３上のテープ送り開始キーの押下によりテープ送りユニット６０によるテープ送りが開始される。
【００６１】
そして、先端検出センサ１７２によるテープ先端の検出をトリガとして、点字打刻処理を開始する（入力された点字データに基づくテープ送りおよび点字打刻を行う）。このとき、テープ先端から打刻開始位置までの長さが、打刻ピン４１と先端検出センサ１７２との間の長さよりも短く設定されている場合は、送りローラ６１を逆回転させることでテープＴを送り戻し、適当な位置まで送ったところで打刻および正方向へのテープ送りを開始する。なお、打刻ユニット８０による打刻開始は、先端検出センサ１７２によるテープ先端の検出をトリガとするばかりでなく、ユーザがキーボード３上の打刻開始キーを押下することにより手動開始させることも可能である。
【００６２】
次に、図７〜図１０を参照し、ラベル作成装置１の全体処理について説明する。図７に示すように、電源キーの押下（電源オン）により処理が開始すると、まず、前回の電源オフ時の状態に戻すために、退避していた各制御フラグを復旧するなどの初期設定を行い（Ｓ１０）、テープ識別センサ１７１（図３参照）によりテープ種別を検出し（Ｓ１１）、続いて、ユーザによるキーボード３からの（またはパソコン等の外部装置からの）データ入力により文字情報が入力され、編集画面等として各種の情報が表示される（Ｓ１２）。
【００６３】
ここで、キーボード３からのモード選択指示（モードキー入力）により（または外部装置からの指示入力により）、モード選択割込が発生すると（ＩＮＴＭ）、処理モード選択の処理が起動され、第１処理モード（墨点併記）、第２処理モード（墨字のみ）および第３処理モード（点字のみ）のいずれかが選択される（Ｓ１３）。
【００６４】
また、レイアウト設定指示（レイアウトキー入力）により（または外部装置からの指示入力により）、レイアウト設定割込が発生すると（ＩＮＴＬ）、レイアウト設定の処理が起動され（Ｓ３０）、プレビュー表示指示（プレビューキー入力）により（または外部装置からの指示入力により）、プレビュー表示割込が発生すると（ＩＮＴＲ）、プレビュー表示の処理が起動され（Ｓ３１）、スタイル選択指示（スタイルキー入力）により（または外部装置からの指示入力により）、スタイル選択割込が発生すると（ＩＮＴＳ）、スタイル選択の処理が起動され（Ｓ３２）、印刷／実行指示（印刷キー入力）により（または外部装置からの指示入力により）、印刷割込が発生すると（ＩＮＴＧ）、実行前設定の処理が起動される（Ｓ１４）。
【００６５】
ここで、実行前設定（Ｓ１４）では、実際の墨字印刷や点字打刻に際してその時点で必要とされる割付配置等の設定や各設定の最終確認等が行われる。なお、モード選択割込、レイアウト設定割込、プレビュー表示割込、スタイル選択割込などがないまま、印刷割込が発生したときには（ＩＮＴＧ）、デフォルトとして前回の設定のモード（初期設定では、第１処理モード、点字下段、墨点並行、墨字サイズ均等）が選択される。そして、実行前設定（Ｓ１４）が終了すると、実際の墨字印刷や点字打刻の処理を開始する。
【００６６】
すなわち、図７および図８（ａ）に示すように、第１処理モードの場合（Ｓ１３：（ａ））、墨字印刷部１２０による墨字Ｐの印刷（墨字印刷）を行った後（Ｓ１５）、テープカットと印刷テープ排出口２２からのテープＴの排出を行い（Ｓ１６）、ディスプレイ４上に打刻テープ挿入口３１へのテープ挿入指示を表示する（Ｓ１７）。なお、この指示表示は、インジケータやＬＥＤによって行っても良い。
【００６７】
テープ挿入指示に従って、ユーザによりテープＴが打刻テープ挿入口３１に挿入（手差し挿入）されると、点字打刻部１５０により点字Ｂの打刻（点字打刻）を行った後（Ｓ１８）、打刻テープ排出口３２から打刻済みテープＴを排出し（Ｓ１９）、処理を終了する（Ｓ２７）。
【００６８】
また、第２処理モードの場合（Ｓ１３：（ｂ））、墨字印刷部１２０による墨字印刷の後（Ｓ２０）、テープカット・排出を行い（Ｓ２１）、処理を終了する（Ｓ２７）。すなわち、第２処理モードでは、図８（ｂ）に示すように、装着されたテープカートリッジＣから繰り出されたテープＴが墨字印刷部１２０へ送られることによって墨字Ｐを印刷する。
【００６９】
また、第３処理モードの場合（Ｓ１３：（ｃ））、ディスプレイ４上に打刻テープ挿入口３１へのテープ挿入指示を表示し（Ｓ２４）、ユーザによるテープ挿入により点字打刻を行った後（Ｓ２５）、打刻テープ排出口３２から打刻済みテープＴを排出し（Ｓ２６）、処理を終了する（Ｓ２７）。すなわち、第３処理モードでは、図８（ｃ）に示すように、短冊状のテープ（任意の長さにカットされたテープ）Ｔが手差し挿入により点字打刻部１５０に送られて、点字Ｂを打刻する。
【００７０】
なお、手差し挿入のための短冊状のテープＴを入手するために、テープ挿入指示（Ｓ２４）の前に、図７および図８（ｃ）に点線で図示のように、第１処理モードの墨字印刷の代わりの空印刷（何も印刷しないでテープ送りのみ）を行った後（Ｓ２２）、テープカット・排出を行い（Ｓ２３）、排出されたテープカット後のテープＴを、手差し挿入用の短冊状のテープＴとして利用しても良い。また、図示はしないが、点字打刻部１５０の上流側にテープカートリッジＣを装着できる仕様とし、テープカートリッジＣから繰り出された長尺状のテープに点字打刻を行わせることも可能である。また、墨字印刷と点字打刻は、同じ文字情報に基づいて印刷／打刻するのではなく、異なる文字情報に基づいて実行することも可能である。
【００７１】
次に、レイアウト設定（Ｓ３０）では、テープ幅検出結果（Ｓ１１）および処理モード選択結果（Ｓ１３）に基づいて、主な設定として、テープＴ上における墨字印刷領域（印刷領域、印刷配置部）Ｅｐや点字打刻領域（打刻領域、打刻配置部）Ｅｂの相対位置や（図９等参照）、各配置部の長さ（図外の印刷配置部長さ、打刻配置部長さ、共通配置部長さ等）など、一般的なテープ印刷装置やワープロ等と同様の設定が行われる。
【００７２】
そして、特に第１処理モード（墨点併記）の場合、図９に示すように、テープ幅の検出結果が２４ｍｍ（テープＴ１）のときには（同図（ａ）参照）、印刷領域Ｅｐが上段，打刻領域Ｅｂが下段（ａ―１：以下「点字下段」）、または印刷領域Ｅｐが下段，打刻領域Ｅｂが上段（ａ―２：以下「点字上段」）のいずれかのレイアウトが選択される。
【００７３】
また、テープ幅１８ｍｍ（テープＴ２）のときにも（図９（ｂ）参照）、点字下段（ｂ―１）、点字上段（ｂ―２）のいずれかが選択されることとなるが、この場合、テープ幅に合わせて印刷領域Ｅｐのテープ幅方向長さが短くなる。
【００７４】
また、テープ幅１２ｍｍ（テープＴ３）のときには（図９（ｃ）参照）、テープ幅が点字１マス２０１の大きさ（テープ幅方向長さ）を打刻可能な最低の長さであるため（図４（ａ）参照）、点字上段・下段の選択、墨点並行／重ねの選択・設定に拘わらず、印刷領域Ｅｐと打刻領域Ｅｂが重なり合ったレイアウトのみとなる。
【００７５】
なお、上述のテープＴ１やテープＴ２の場合、墨字と点字とを並行に配置するレイアウト（以下「墨点並行」）以外に、自由に（例えば大きく）印刷した墨字の一部に点字を重ねるレイアウト（以下「墨点重ね」）を選択して、設定できるようになっている。
【００７６】
この場合、例えば図１０に示すように、テープ幅２４ｍｍ（テープＴ１）のときには（同図（ａ）参照）、印刷領域Ｅｐを全体とし、打刻領域Ｅｂは、点字下段では下段（ａ―３）、点字上段では上段（ａ―４）、のいずれかのレイアウトとなる。また、テープ幅１８ｍｍ（テープＴ２）のときにも（同図（ｂ）参照）、点字下段（ｂ―３）、点字上段（ｂ―４）のいずれかとなる。そして、これらの場合の打刻領域Ｅｂは、印刷領域Ｅｐと打刻領域Ｅｂとの重畳領域Ｅｃ（詳細は後述する）を兼ねることになる（図２５（ｃ）参照）。
【００７７】
次に、ラベル作成装置１では、ディスプレイ４内に、テキスト編集画面等の通常の表示画面の他に、対応するプレビュー表示画面（プレビュー画面、モニタ画面）を表示することができる。このため、上述のプレビュー表示（図７のＳ３１）では、その時点で実際の墨字印刷や点字打刻が行われた場合の、その墨字印刷や点字打刻のイメージ（画像）を、ディスプレイ４内のモニタ画面に表示（プレビュー表示）する。
【００７８】
また、ラベル作成装置１では、墨字用の文字列（墨字列）の１行あるいは複数行（以下、各行を適宜「墨字行」という）を文字情報として入力できるが、さらに、上述のスタイル選択（図７のＳ３２）によって、各墨字行の文字サイズ、割付け、外枠・表組みなどを選択できる（図１８等参照）。
【００７９】
次に、ラベル作成時の操作の例について、さらに具体的に詳述する。なお、説明の便宜上（本実施形態の特徴を説明しやすいように）、以下では、まず、テープ幅２４ｍｍ（テープＴ１）、第１処理モード（墨点併記）、「墨点重ね」および「点字下段」（図１０（ａ−３）に相当）、且つ、各行の墨字サイズ（墨字行サイズ）を同等（均等）とする「墨字行サイズ均等」の場合について、第１例として説明する。
【００８０】
例えば図１１に示すように、テキスト編集開始前の初期状態では、テープ幅検出センサ１７１により検出されたテープ種別（具体的にはテープ幅２４ｍｍ）を表示するとともに、編集を開始する１行目の行番号（墨字マークＭｋｐ）および１行目の１文字目の入力を促すカーソルＫを表示する（テキスト編集画面：画面Ｄ１０：以下、ディスプレイ４の表示画面の状態を画面Ｄｘｘとし、Ｄｘｘのみで説明および図示する。）。
【００８１】
この状態から（Ｄ１０）、キーボード３の（文字キー群３ａ等の）操作により１行目の墨字列「ラベルライタ部」（各キー入力直後の未確定状態や漢字変換等の操作も含む）が入力され、（エンターキーにより）確定されると、１行目「ラベルライタ部」が確定され、次の２行目の行番号（墨字マークＭｋｐ）を表示し且つ１文字目の入力を促す（Ｄ１１）。なお、ラベル作成装置１では、ユーザは、キー入力による各種指示等や入力データを、削除キーの押下（１回に１文字ずつの削除）や取消キーの押下によって取り消して、元の状態に戻すことができるが、これらについて、以下では説明は適宜省略する。
【００８２】
上述の状態から（Ｄ１１）、同様にして、２行目「営業課」が入力され、確定されると、次の３行目の行番号を表示して１文字目の入力を促す（Ｄ１２）。さらに同様に、３行目「設計課」が入力され、確定されると、次の４行目の行番号を表示して１文字目の入力を促す（Ｄ１３：図１１と図１２で共通）。
【００８３】
ここで、例えば図１２に示すように、上述の状態から（Ｄ１３）、印刷キーが押され、印刷割込が発生すると（図７のＩＮＴＧ）、墨字列が入力されているので、点字変換行選択画面に遷移する（Ｄ１４）。
【００８４】
上述の状態では（Ｄ１４）、選択肢として、入力・確定済みの３行のうちの１行目を点字変換する「１」、２行目を点字変換する「２」、３行目を点字変換する「３」、墨字印刷の墨字列と異なる点字情報を新たに入力するため点字変換を行わない「無」、のいずれかを、カーソル操作によって選択・指定できる（画面遷移直後は前回指定の選択肢をデフォルトとしてカーソル指定して表示：初期設定は「１」）。なお、以下の各種画面においても、基本的に画面遷移直後は、前回指定の位置をデフォルトとしてカーソル指定して表示するものとし、説明は省略して、適宜、初期設定のみ付記する。
【００８５】
ここで、例えば図１２で前述の状態から（Ｄ１４）、「２」がカーソル指定されて（Ｄ１５）、エンターキーの押下により選択（以下単に「選択確定」という）されたとすると、２行目の「営業課」を点字変換し、同様に「３」が選択確定されると、３行目の「設計課」を点字変換する。また、「無」が選択確定されると、新たに点字情報を入力するための点字入力選択画面に遷移し、点指定により直接入力する「直接入力」や点字変換するための墨字列を入力する「文字入力」などの選択肢から入力方法を選択して、選択した入力方法の下位階層画面において、点字情報を入力する。
【００８６】
ただし、ここでは、上述の状態から（Ｄ１４）、「１」がそのまま選択確定されたとすると、１行目「ラベルライタ部」に相当する点字情報（点字データ）を作成後、「印刷中」および「印刷後は打刻部へ」のメッセージ表示を伴う印刷中報知画面に遷移するとともに（Ｄ１６）、図１３（ｃ）に示す１行目「ラベルライタ部」、２行目「営業課」、３行目「設計課」から成る墨字画像Ｇｐ０２により墨字印刷を行った後（図７のＳ１５）、テープカット・排出を行い（Ｓ１６）、上記のメッセージ表示の代わりに打刻部（点字打刻部１５０の打刻テープ挿入口３１）へのテープ挿入指示を表示する（Ｓ１７）。
【００８７】
ここで、テープ挿入指示に従って、ユーザによりテープＴが手差し挿入されると、点字変換により作成された「ラベルライタ部」の点字データに基づいて、点字打刻部１５０により例えば図１３（ｃ）の点字画像（データ）Ｇｂ０の点字打刻を行うことにより、外観（画像）Ｇ０２のような墨点併記のラベルＬ０２を作成できる。すなわち、ここでは、点字画像Ｇｂ０の点字打刻を行った後（図７のＳ１８）、打刻済みテープＴを排出し（Ｓ１９）、処理を終了して（Ｓ２７）、図１２に示すように、元のテキスト編集画面に戻る（Ｄ１７：Ｄ１３と同じ）。
【００８８】
なお、図１２で上述の例では、墨字列として３行入力したが、例えば２行入力（確定）直後に（図１１のＤ１２）、印刷キーが押されると（図７のＩＮＴＧ）、同様にして、点字変換行を選択後、ここでは同じ１行目（選択肢「１」）が選択されたとすると、図１３（ｂ）に示すように、２行目「営業課」までの墨字画像Ｇｐ０１により墨字印刷を行うので、その後、点字画像Ｇｂ０の点字打刻を行うことにより、外観画像Ｇ０１のような墨点併記のラベルＬ０１を作成できる。
【００８９】
さらに同様に、例えば１行入力確定直後に（図１１のＤ１１）、印刷キーが押され（図７のＩＮＴＧ）、同様に点字変換行（ここでは「１」）が選択されると、図１３（ａ）に示すように、１行目「ラベルライタ部」のみの墨字画像Ｇｐ００により墨字印刷を行った後、点字画像Ｇｂ０の点字打刻を行うことにより、外観画像Ｇ００のような墨点併記のラベルＬ００を作成できる。
【００９０】
なお、この場合は１行なので、他の墨字列等からの点字情報入力はないものとして点字変換行の選択を省略し、その１行の点字変換以降の処理（図１２のＤ１６相当）に直接移行しても良いし、他の墨字列等からの点字情報入力の有無等を尋ねる２者択一の選択画面としても良い。
【００９１】
また、さらに墨字行を入力してから、同様のラベルを作成することもできる。この場合、例えば図１４に示すように、図１１で前述の３行入力後の状態から（Ｄ１３：図１１、図１２と共通）、前述同様に、４行目「技術課」が入力・確定されると、次の５行目の行番号を表示してその１文字目の入力を促す（Ｄ２０）。さらに同様に、５行目「品質課」が入力・確定され、次の６行目の入力を促して（Ｄ２１）、同様に、６行目「サポート課」が入力・確定されると、次の７行目の入力を促す（Ｄ２２）。
【００９２】
これらの場合も、例えば４行確定直後に（Ｄ２０）、印刷キーが押されると（図７のＩＮＴＧ）、同様にして、点字変換行（ここでは同じ１行目：選択肢「１」）が選択されたとすると、図１５（ａ）に示す４行目「技術課」までの墨字画像Ｇｐ０３により墨字印刷を行い、５行確定直後であれば（Ｄ２１）、同図（ｂ）の５行目「品質課」までの墨字画像Ｇｐ０４により墨字印刷を行い、６行確定直後であれば（Ｄ２２）、同図（ｃ）の６行目「サポート課」までの墨字画像Ｇｐ０５により墨字印刷を行った後、点字画像Ｇｂ０の点字打刻を行うことにより、それぞれ外観画像Ｇ０３、Ｇ０４、Ｇ０５のような墨点併記のラベルＬ０３、Ｌ０４、Ｌ０５を作成できる。
【００９３】
上述のように、ラベル作成装置１では、編集対象の墨字列の少なくとも一部を指定して、指定部分の墨字に対応する点字を打刻するための点字情報を作成するので、点単位での点字情報の入力などを要することなく、編集中あるいは編集後の墨字列に基づいて、点字情報を作成でき、墨字印刷ばかりでなく、点字打刻までを含めた全体としての操作性が向上する。
【００９４】
なお、上述の第１例では、墨字列の一部として、墨字行単位での指定（点字変換行選択）を行ったが、このほか、例えばカーソルＫにより任意の墨字行の任意の一部のみを部分（範囲）指定して、その部分のみを点字情報に変換できるようにしても良い。また、飛び飛びの部分や複数の墨字行の一部ずつを指定して、それらを合わせた部分（範囲）を点字変換できるようにしても良い。
【００９５】
ところで、図４で前述のように、本実施形態で参照する図面の点字の表記では、打刻点および非打刻点を明記しており（例えば図８〜図１０、図１３、図１５等参照）、本来は、打刻点が凸部となるだけで非打刻点は平坦なので見えないため、点字は、図示よりは目立たない。すなわち、そもそも、点字は触読されるため色は付されないものであり、一方の墨字は目視によって判読されるものなので、点字と墨字とが重なっても、基本的には双方とも認識可能なはずである。
【００９６】
このため、墨字の編集は、一般的には、点字の配置と関係なく墨字が認識可能であることを前提として行われる。しかし、例えば墨字の文字サイズが小さくて点字の凸部によって文字形状が崩れて見にくくなったり、あるいはテープ（処理シート）Ｔの色が凸部（の影等）を目立たせる色であるなど、テープ（処理シート）Ｔ上の双方の状況（属性）や重なり具合等によっては、点字の凸部と重なって墨字が読み取りにくい場合がある。
【００９７】
これに対して、本実施形態のラベル作成装置１では、共通のテープ（処理シート）Ｔに配置される点字との重なり部分を認識しながら、墨字の編集ができるようにしているので、以下、この点について詳述する。
【００９８】
まず、墨字と点字との重なり具合を、墨字編集中に把握する１つの方法としては、プレビュー表示を利用できる。例えば上述の各行確定直後の状態で（図１１のＤ１１〜Ｄ１３、図１４のＤ２０〜Ｄ２２）、プレビューキーが押され、プレビュー表示割込が発生すると（図７のＩＮＴＲ）、プレビュー表示の処理が起動され（Ｓ３１）、例えば上述の例では、それぞれ上述のラベルＬ００〜Ｌ０５（図１３、図１５参照）のイメージをプレビュー表示する。
【００９９】
ただし、墨字編集中にプレビュー表示するには、墨字を編集するためのテキスト編集画面をプレビュー表示画面に切り換える必要があり、点字との重なり部分を考慮しながら編集するには、画面切換が面倒な場合がある。また、テキスト編集画面の一部にプレビュー表示を含める構成とすることもできるが、その分だけテキスト編集（墨字編集）のための表示領域が小さくなって編集し易さが低下する可能性があるとともに、プレビュー表示も小さくなるので、見にくくなる可能性がある。かといって、ディスプレイ４を大型化することは、装置の小型化の障害となる可能性がある。
【０１００】
そこで、ラベル作成装置１では、プレビュー表示以外にも、点字との重なり部分を認識しながら、墨字の編集ができる工夫を施している。それが、墨字編集のテキスト編集画面に「ＯＬ」と表示しているオーバラップマーク（重畳マーク：以下「ＯＬマーク」）である。
【０１０１】
すなわち、そのまま墨字印刷と点字打刻とを行えば図１３（ａ）のラベルＬ００を作成できる状態の編集画面では（図１１のＤ１１）、１行目「ラベルライタ部」の一部が点字の打刻領域Ｅｂ（＝重畳領域Ｅｃ：図１０（ａ−３）参照）に印刷されることになるので、１行目の行番号（墨字マークＭｋｐ）の前側（図示の左横側）にＯＬマークの「ＯＬ」を表示する。
【０１０２】
同様に、図１３（ｂ）のラベルＬ０１を作成できる状態では（Ｄ１２）、２行目「営業課」が重畳領域Ｅｃ（図１０（ａ−３）参照）に印刷されるので、２行目の前側にＯＬマークの「ＯＬ」を表示する。また、同様にして、図１３（ｃ）のラベルＬ０２を作成できる状態では（Ｄ１３）、２行目「営業課」の一部および３行目「設計課」が重畳領域Ｅｃに印刷されるので、２行目および３行目の前に「ＯＬ」を表示する。
【０１０３】
図１４で上述の状態も同様であり、３行目「設計課」と４行目「技術課」が重畳領域Ｅｃに印刷される状態では（図１５（ａ）参照）、３行目および４行目の前に「ＯＬ」を表示し（Ｄ２０）、３行目「設計課」〜５行目「品質課」が重畳領域Ｅｃに印刷される状態では（図１５（ｂ）参照）、３行目〜５行目の前に「ＯＬ」を表示し（Ｄ２１）、４行目「技術課」〜６行目「サポート課」が重畳領域Ｅｃに印刷される状態では（図１５（ｃ）参照）、４行目〜６行目の前に「ＯＬ」を表示する（Ｄ２２）。
【０１０４】
なお、上述の第１例におけるラベルＬ０１〜Ｌ０５のように（図１３、図１５参照）、墨字行のうちの一部（ここでは複数行有るときの１行）を点字変換する場合、点字変換したい部分（上述の１行目「ラベルライタ部」）は、晴眼者ばかりでなく視覚障害者にも伝えたい部分、言い換えると墨字印刷においての主要部分と成り得る部分なので、ＯＬマークの「ＯＬ」表示を認識（把握）しながら編集することにより、主要部分（例えば点字変換行：ここでは１行目）が重畳部分（重畳行）とならないように、言い換えれば重畳により読みにくくならないように、編集の工夫ができる。また、空白行を入力（挿入）する等により、重畳を回避することもできる。
【０１０５】
上述の第１例のように、本実施形態のラベル作成装置１では、確定された墨字行のうち、重畳領域Ｅｃに一部または全部（少なくとも一部）が印刷される（重なる）墨字列（以下「重畳行」）に対して、その行番号の前にＯＬマーク（重畳マーク）の「ＯＬ」を付して表示するので、重畳行を、他の墨字行と識別可能に表示できる。言い換えると、各墨字行が重畳行か否か、および重畳行でない墨字行と混在するときにはそれらの境界を、識別可能に表示できる。したがって、共通のテープ（処理シート）Ｔに配置される点字との重なり部分を、墨字行の単位で認識（把握）でき、それを参考にしながら、墨字の編集が容易にできる。
【０１０６】
なお、この場合の重畳マークとしては、絵柄や模様や簡易図形的等のいわゆる記号等と呼ばれるマークの他、例えば重畳行を囲む各種の括弧や枠等でも良い。また、重畳行を識別表示する方法としては、上述の重畳マークの他、重畳行の一部または全部（少なくとも一部）や行番号に対して文字装飾を施して表示することもできる。この場合の文字装飾としては、アンダーライン、取消ライン、アッパーライン、文字囲、塗りつぶし、傍点、中抜き、（白黒）反転、回転、影文字、文字色（を変える）、各種（点、線、網状等の実線、破線等）の網掛け、等々、一般的な文字装飾のいずれでも良く、仕様上、任意に選択して設定して良い。
【０１０７】
また、上述の第１例では、点字の打刻領域Ｅｂ＝重畳領域Ｅｃとし（図１０（ａ−３）参照）、重畳行を重畳領域Ｅｃと重なる墨字行、すなわち少なくとも一部が重畳領域Ｅｃに印刷される墨字行とし、「墨字行サイズ均等」とし、テープＴ１（テープ幅２４ｍｍ）なので、重畳領域ＥｃがテープＴの幅方向の約半分に相当する。
【０１０８】
このため、５行確定後の状態では（図１４のＤ２１）では、３行目「設計課」も重畳行としている（「ＯＬ」マークを付している）が、実際の重畳領域Ｅｃの設定によっては、３行目まで重畳行とならない場合もあるし（図１５（ｂ）参照）、また、重畳領域Ｅｃで判断するのでなく、実際の打刻点との重なりの有無によって重畳行か否かを判断しても良い。
【０１０９】
また、上述の第１例では、ラベルの長さ方向に対して、墨字行を前側に寄せる「前寄せ」（他の表現では「左寄せ」「前揃え」「左揃え」等）としているが、墨字行の「割付け」としては（図１８のＤ４０参照）、上記の「前寄せ」の他、中央に寄せる「中寄せ」（「センタリング」「中央寄せ」「中揃え」等）、後側に寄せる「後寄せ」（「右寄せ」「後揃え」「右揃え」等）、文字数に応じて文字間を均等に配置する「均等」（「均等配置」「割付け」等）が選択できる。
【０１１０】
また、重畳領域Ｅｃでなく、実際の打刻点との重なりの有無によって重畳行か否かを判断する場合、上記の「割付け」を選択によって、重畳行の判別結果が変化することもあり、それらの詳細な差を表示できるようにして、墨字編集において、さらに肌理細かな（点字との重なりに対する）考慮ができるようにすることもできる。
【０１１１】
なお、本実施形態では、テープ幅２４ｍｍ（テープＴ１）で印刷可能な墨字行は最大８行と規定されている。このため、例えば図１４の６行確定後の状態から（Ｄ２２）、さらに７行目、８行目が入力・確定されると、次の９行目の入力を促すが、この状態で「データ幅オーバー」の（エラー）メッセージ表示を行う（図２１のＤ４６、図２３のＤ５４等参照）。なお、このエラーのメッセージ表示の代わりまたはメッセージ表示と共に、ビープ音等の表示以外の方法による報知でも良い。
【０１１２】
この場合、さらに幅広の（例えばテープ幅３２ｍｍの）テープＴが存在すれば、９行以上も可能であるとともに、規定行数を超える入力をしておいて後に任意の行を削除するなどの編集を可能にするために、最大行数を超える行数（ここでは９行以上）の墨字行の入力を許可するようにしても良い。
【０１１３】
また、この場合、上述のエラーのメッセージ表示や表示以外のビープ音等による報知（以下「メッセージ表示等」）の代わりに、上述のＯＬマークと同様に、例えばオーバーフローマーク（印刷領域配置不可マーク：以下「ＯＦマーク」）を「ＯＦ」等として、最大行数を超えた行（以下「超過行」）の行番号の前に付すようにしても良いし、重畳行と同様に（但し重畳行とは異なる）文字装飾を施して表示することもできる。
【０１１４】
そして、印刷領域に編集対象の墨字列の全てが配置可能か否か判別して、配置不可のときに、上述のように、メッセージ表示等やＯＦマークや文字装飾によって、その旨を報知することにより、編集の必要性を把握でき、編集時の操作性を向上できる。
【０１１５】
なお、上述の第１例では、テープ幅２４ｍｍ（テープＴ１）としたので、以下では、テープ幅の違いによる編集画面表示や作成されるラベル等の相異を明確にするため、テープ幅１８ｍｍ（テープＴ２）の場合、すなわちテープ幅１８ｍｍ（テープＴ２）、第１処理モード（墨点併記）、「墨点重ね」および「点字下段」（図１０（ｂ−３）に相当）且つ「墨字行サイズ均等」の場合について、第２例として説明する。
【０１１６】
この第２例では、例えば図１６に示すように、初期状態では、テープ種別としてテープ幅１８ｍｍを表示するとともに、１行目の行番号（墨字マークＭｋｐ）および１行目の１文字目の入力を促すカーソルＫを表示する（Ｄ３０）。この状態から（Ｄ３０）、第１例と同様に、１行目「ラベルライタ部」が入力・確定されると、次の２行目の行番号（墨字マークＭｋｐ）を表示し且つ１文字目の入力を促す（Ｄ３１）。また、同様にして、２行目「営業課」が入力・確定され（Ｄ３２）、３行目「設計課」が入力・確定され（Ｄ３３）、４行目「技術課」、５行目「品質課」、６行目「サポート課」が入力・確定されると、次の７行目の入力を促す（Ｄ３４）。
【０１１７】
この第２例の場合も、例えば１行確定直後に（Ｄ３１）、印刷キーが押され（図７のＩＮＴＧ）、同様に点字変換行（ここでは「１」）が選択されると、図１７（ａ）に示すように、１行目「ラベルライタ部」のみの墨字画像Ｇｐ１０により墨字印刷を行った後、点字画像Ｇｂ０の点字打刻を行うことにより、外観画像Ｇ１０のような墨点併記のラベルＬ１０を作成できる。また、例えば２行確定直後であれば（Ｄ３２）、同図（ｂ）の２行目「営業課」までの墨字画像Ｇｐ１１により墨字印刷を行い、３行確定直後であれば（Ｄ３３）、同図（ｃ）の３行目「設計課」までの墨字画像Ｇｐ１２により墨字印刷を行い、６行確定後であれば（Ｄ３４）、同図（ｄ）の６行目「サポート課」までの墨字画像Ｇｐ１３により墨字印刷を行った後、点字画像Ｇｂ０の点字打刻を行うことにより、それぞれ外観画像Ｇ１０〜Ｇ１３のような墨点併記のラベルＬ１０〜Ｌ１３を作成できる。
【０１１８】
すなわち、第１例と同様に、編集対象の墨字列の少なくとも一部を指定して、点字情報を作成するので、点単位での点字情報の入力などを要することなく、点字情報を作成でき、点字打刻までを含めた全体としての操作性が向上する。
【０１１９】
なお、この第２例では、点字の打刻領域Ｅｂ＝重畳領域Ｅｃとし（図１０（ｂ−３）参照）、「墨字行サイズ均等」とし、テープＴ２（テープ幅１８ｍｍ）なので、重畳領域ＥｃがテープＴの幅方向の約２／３に相当する。そして、同様に、ＯＬマークの「ＯＬ」を付して表示するので、重畳行を、他の墨字行と識別可能に表示できる。
【０１２０】
このため、１行目「ラベルライタ部」のみの状態では、その一部が重畳領域Ｅｃに印刷されるので（図１７（ａ）参照）、１行目の前に「ＯＬ」を表示し（Ｄ３１）、１行目「ラベルライタ部」の一部と２行目「営業課」が重畳領域Ｅｃに印刷される状態では（図１７（ｂ）参照）、１行目および２行目の前に「ＯＬ」を表示し（Ｄ３２）、２行目「営業課」と３行目「設計課」が重畳領域Ｅｃに印刷される状態では（図１７（ｃ）参照）、２行目および３行目の前に「ＯＬ」を表示し（Ｄ３３）、３行目「設計課」〜６行目「サポート課」が重畳領域Ｅｃに印刷される状態では（図１７（ｄ）参照）、４行目〜６行目の前に「ＯＬ」を表示する（Ｄ３４）。
【０１２１】
なお、本実施形態では、テープ幅１８ｍｍ（テープＴ２）に印刷可能な墨字行は最大６行と規定されている。このため、例えば図１６の６行確定後に７行目の入力が促されると（Ｄ３４）、実際には「データ幅オーバー」のメッセージ表示を行うので、削除キーにより７行目のカーソルＫを削除すれば良い（図２１のＤ４６〜Ｄ４７、図２３のＤ５４〜Ｄ５５等参照）。
【０１２２】
上述のように、第２例においても、重畳行の行番号の前にＯＬマーク（重畳マーク）の「ＯＬ」を付して表示するので、重畳行を、他の墨字行と識別可能に表示でき、これにより、共通のテープ（処理シート）Ｔに配置される点字との重なり部分を、墨字行の単位で認識（把握）でき、それを参考にしながら、墨字の編集が容易にできる。
【０１２３】
なお、第２例においても、１行の場合、前述のように点字変換行の選択を省略して、点字変換以降の処理に直接移行しても良いし、他の点字情報入力の有無等を尋ねる２者択一の選択画面としても良い。また、任意の墨字行の任意の一部のみを部分（範囲）指定したり、飛び飛びの部分や複数の墨字行の一部ずつを指定して、点字変換できるようにしても良い。また、第１例と同様に、プレビュー表示も利用できる。また、主要部分（点字変換行）が重畳行にならないように工夫（編集）できること、重畳マークでなく文字装飾でも識別表示可能なこと、重畳マークや文字装飾のバリエーション、等々についても同様となる。
【０１２４】
また、この第２例においても、少なくとも一部が重畳領域Ｅｃに印刷される墨字行を重畳行としたが、重畳領域Ｅｃで判断するのでなく、実際の打刻点との重なりの有無によって重畳行か否かを判断しても良い。また、ラベルの長さ方向に対する墨字行の割付けについても同様のバリエーションが考えられ、実際の打刻点との重なりの有無によって重畳行か否かを判断する場合には、重畳行が「割付け」の選択によって変化しても、墨字編集においてそれらの詳細な差を表示できるようにすれば、点字との重なりについて、肌理細かな考慮ができる。
【０１２５】
また、この第２例においても、メッセージ表示の代わりまたはメッセージ表示と共に、ビープ音等の表示以外の方法による報知でも良いし、最大行数を超える行数（ここでは７行以上）の入力を許可し、前述のＯＦマークの「ＯＦ」等を超過行の行番号の前に付したり、文字装飾を施して表示することもでき、これらの場合、印刷領域に墨字列の全てが配置可能か否か判別して、配置不可の旨を報知できるので、編集の必要性を把握でき、編集時の操作性を向上できる。
【０１２６】
なお、上述の第１例、第２例では、各行の墨字サイズ（墨字行サイズ）を同等（均等）とする「墨字行サイズ均等」としたが、ラベル作成装置１では、前述のように、スタイル選択（図７のＳ３２）によって、各墨字行の文字サイズ、割付け、外枠・表組みなどを選択できるので、以下では、特に墨字行サイズの違いによる編集画面表示や作成されるラベル等の相異を明確にするため、各墨字行サイズを指定する場合、すなわちテープ幅２４ｍｍ（テープＴ１）、第１処理モード（墨点併記）、「墨点重ね」および「点字下段」（図１０（ａ−３）に相当）且つ「墨字行サイズ指定」の場合について、第３例として説明する。
【０１２７】
この第３例では、例えば図１８に示すように、墨字編集の状態（例えば図１１で前述の１行目「ラベルライタ部」が入力・確定された直後の状態）から（Ｄ１１：図１１と図１８で共通）、スタイルキーが押され、スタイル選択割込が発生すると（図７のＩＮＴＳ）、スタイル選択（Ｓ３２）が起動され、スタイル選択画面に遷移する（Ｄ４０）。
【０１２８】
この状態では（Ｄ４０）、選択肢として、各墨字行の文字サイズを選択・設定するための「文字サイズ」、ラベル長さ方向に対する各墨字行の「前寄せ」「中寄せ」「後寄せ」「均等」等を選択・設定するための「割付け」、各墨字行に対する外枠・表組みなどを選択・設定するための「外枠・表組み」、のいずれかを、カーソル操作によって選択・指定できる（初期状態は「文字サイズ」）。
【０１２９】
ここでは、上述の状態から（Ｄ４０）、「文字サイズ」がそのまま選択確定されたとすると、「文字サイズ」の下位階層の選択画面（文字サイズ選択画面）に遷移する（Ｄ４１）。
【０１３０】
ここで、前述のように、テープ幅２４ｍｍ（テープＴ１）の場合、最大行数は８行に規定されている。また、図１９に示すように、行割付けとして、墨字行の行サイズ（各行のラベル幅方向の文字サイズ：墨字行サイズ）を、全行について自由に指定（行数も最大行まで且つテープＴの幅まで自由に指定）するための「自由」、予め規定された相対的文字サイズを選択してテープ幅と行数から具体的なサイズを設定するための「１行」〜「最大行」（テープＴ１では８行）が、「文字サイズ」の選択肢として規定されている。
【０１３１】
このため、上述の文字サイズ選択画面の状態では（Ｄ４１）、選択肢として、「自由」「１行」〜「８行」のいずれかを、カーソル操作によって選択・指定できる（初期状態は「自由」）。ここでは、上述の状態から（Ｄ４１）、「３行」が選択確定されたとすると（Ｄ４２：図１８と図２０で共通）、図２０に示すように、「文字サイズ−３行」の下位階層の選択画面（行割付け選択画面）に遷移する（Ｄ４３）。
【０１３２】
この状態では（Ｄ４３）、選択肢として、指定数行（ここでは３行）の各行のサイズを自由に指定する「自由」、３行をテープ幅方向に均等（すなわち１行目文字サイズ＝２行目文字サイズ＝３行目文字サイズ）に割り付ける「均等」、１行目を大きく他を小さくする「１大」、２行目を大きく他を小さくする「２大」、３行目を大きく他を小さくする「３大」、のいずれかを、カーソル操作によって選択・指定できる（初期状態は「均等」：図１９の「３行」の行割付けの欄を参照）。
【０１３３】
なお、例えば同様の相対サイズ「１大」でも「小１大」〜「大１大」や「１大２中３小」など、図示以外の規定の仕方を含む複数種類の相対サイズを規定可能なので、図１９の選択肢の３ａ〜３ｄ等は、各選択肢を区別して処理しやすくするための符号であるとともに、他の選択肢を追加（仕様拡張）可能且つ区別可能とするための符号となる。
【０１３４】
ここでは、上述の状態から（Ｄ４３）、「１大３ｂ」が選択確定されたとすると（Ｄ４４）、１行目を大きく他を小さくするための「１大３ｂ」（ここでは１行目の墨字行サイズを２行目や３行目の墨字行サイズの２倍とする）を設定し、元のテキスト編集画面に戻る（Ｄ４５：図１１や図１８のＤ１１と同じ）。
【０１３５】
なお、この例では、テキスト編集画面として、１行目「ラベルライタ部」が入力・確定された直後の状態（Ｄ１１：図１１と図１８で共通）で、スタイルキーが押され（図７のＩＮＴＳ）、スタイル選択（Ｓ３２）が起動されたものとしたが、他のテキスト編集画面の状態（例えば図１１のＤ１０、Ｄ１２〜Ｄ１３、図１４のＤ２０〜Ｄ２２）からでも、同様のスタイル選択（Ｓ３２）ができる。
【０１３６】
続いて、上述の状態から（Ｄ４５：図２０と図２１で共通）、１行目と同様にして、２行目「営業課／設計課／技術課」が入力・確定されると、次の３行目の行番号を表示してその１文字目の入力を促し、さらに同様に、３行目「品質課／サポート課」が入力・確定されると、次の４行目の行番号を表示してその１文字目の入力を促すとともに、「データ幅オーバー」のメッセージ表示を行うので（Ｄ４６）、削除キーにより４行目のカーソルＫを削除すれば良い（Ｄ４７）。なお、この場合には、設定した行数（３行）との関係が強いので、「行数オーバー」等の別のメッセージ表示にしても良い。
【０１３７】
そして、この第３例の場合も、３行確定後に（Ｄ４６またはＤ４７）、印刷キーが押され（図７のＩＮＴＧ）、同様に点字変換行（ここでは「１」）が選択されると、図２１（ｂ）に示すように、大きな１行目「ラベルライタ部」と小さな２行目「営業課／設計課／技術課」および３行目「品質課／サポート課」から成る墨字画像Ｇｐ２０（墨字行サイズとして１行目が２〜３行目の約２倍）により墨字印刷を行った後、点字画像Ｇｂ０の点字打刻を行うことにより、外観画像Ｇ２０のような墨点併記のラベルＬ２０を作成できる。
【０１３８】
すなわち、第１例や第２例と同様に、編集対象の墨字列の少なくとも一部を指定して、点字情報を作成するので、点単位での点字情報の入力などを要することなく、点字情報を作成でき、点字打刻までを含めた全体としての操作性が向上する。また、同様に、ＯＬマークの「ＯＬ」を付して表示するので、重畳行を、他の墨字行と識別可能に表示できる。
【０１３９】
そして、さらにこの第３例の場合、ドットサイズ等の具体的（絶対的）な文字サイズを考慮することなく、あるいは考慮するための参考として、印刷領域に対する各墨字行の相対的な文字サイズを設定し、それに基づいて、墨字行単位で各墨字行の文字サイズを設定しているので、重畳行とその他の墨字行との文字サイズのバランス（各墨字行の相互バランス）や、複数行のうちの重畳行となる行数等を調整し易くなり、重畳行とその他の墨字行とを区別して扱いやすくなるので、さらに操作性が向上している。
【０１４０】
すなわち、例えば上述の例では、主要部分（点字対象行）の１行目「ラベルライタ部」を大きく他を小さくするための「１大３ｂ」を設定することにより、１行目が大きくて見やすいように編集するとともに、重畳行にならないように編集して点字の凸部により見にくくなる可能性も避けているので、主要部分である１行目「ラベルライタ部」が明確なラベルＬ２０を作成でき（図２１（ｂ）参照）、また、この編集時には、ＯＬマークの「ＯＬ」が付された２行目や３行目と明確に区別して表示しているので、作成されるラベルのイメージを把握しやすく、操作性の良いものとなっている。
【０１４１】
なお、テープ幅１８ｍｍ（テープＴ２）の場合や、墨字行が１行の場合や、点字変換行の指定の仕方、ＯＬマーク（重畳マーク）でなく文字装飾の使用、実際の打刻点との重なりの有無による重畳行の判断、ラベルの長さ方向に対する墨字行の割付け、メッセージ表示やＯＦマーク表示その他による配置不可の旨の報知、これらの各種バリエーション、等々については、第１例や第２例と同様なので、ここでは説明は省略する。
【０１４２】
なお、上述の第１例〜第３例では、「墨点重ね」として、重畳領域Ｅｃを認めた上で（図１０参照）、重畳行を明確に表示するようにしたが、ラベル作成装置１では、「墨点重ね」であっても、一時的に「墨点並行」と同様に重畳領域Ｅｃ（すなわち重畳領域に対する墨字印刷：以下「重畳印刷」）を認めず、印刷領域Ｅｐから重畳領域Ｅｃを除いた領域を一時的な印刷領域Ｅｐとすることにより、結果として重畳行を無くす（認めない）ことができるので、以下、この点について、第４例として説明する。
【０１４３】
ここで、この第４例の設定等は、第１例〜第３例に合わせて、テープ幅２４ｍｍ（テープＴ１）、第１処理モード（墨点併記）、「墨点重ね」および「点字下段」（図１０（ａ−３）に相当）且つ「墨字行サイズ均等」とする。また、テープＴ１で重畳領域を認めない場合の墨字行の最大行数は４行とする。
【０１４４】
この第４例では、例えば図２２に示すように、初期状態から（Ｄ１０：図１１と共通）、第１例と同様に、１行目「ラベルライタ部」が入力・確定されると、第１例で前述のように、この時点で１行目は重畳行となるので（図１１のＤ１１、図１３（ａ）等参照）、重畳行を示すＯＬマークの「ＯＬ」を付して表示するとともに、「ＯＬ  ＯＫ？」旨のメッセージ表示により重畳領域（重畳行、重畳印刷）を許すか否かを問い合わせるオーバラップ（重ね）確認画面に遷移する（Ｄ５０）。
【０１４５】
この状態では（Ｄ５０）、選択肢として、重畳行を認める「ＹＥＳ」、認めない「ＮＯ」のいずれかを、カーソル操作によって選択・指定できる（初期状態は「ＹＥＳ」）。
【０１４６】
ここで仮に、上述の状態から（Ｄ５０）、「ＹＥＳ」がそのまま選択確定されると、第１例の図１１で前述の１行目確定直後のテキスト編集画面に遷移し（図１１のＤ１１）、以降は、第１例で前述と同様になるので、ここでは説明は省略する。
【０１４７】
ここでは、上述の状態から（Ｄ５０）、「ＮＯ」が選択確定されたとすると（Ｄ５１）、重畳領域（重畳行、重畳印刷）の不許可（否認）を設定した後、通常のテキスト編集画面に遷移する（Ｄ５２（Ｄ１１ｓ）：重畳行の許可と不許可なので背景となる設定は異なるが、画面表示その他は図１１のＤ１１と同じ）。すなわち、１行目を確定後、次の２行目の行番号（墨字マークＭｋｐ）を表示し且つ１文字目の入力を促す（Ｄ５２：図２２と図２３で共通）。
【０１４８】
ここでは、図２３に示すように、上述の状態から（Ｄ５２）、第１例と同様にして、２行目「営業課」が入力・確定され（Ｄ５３：図１１のＤ１２と背景設定以外同じ）、３行目「設計課」、４行目「技術課」が入力・確定されると、次の５行目の行番号を表示してその１文字目の入力を促すとともに、前述のように、テープ幅２４ｍｍ（テープＴ１）で重畳領域を認めない場合の最大行数は４行なので、「データ幅オーバー」のメッセージ表示を行うので（Ｄ５４）、削除キーにより５行目のカーソルＫを削除すれば良い（Ｄ５５）。
【０１４９】
そして、この第４例の場合、例えば１行確定直後に（Ｄ５２）、印刷キーが押され（図７のＩＮＴＧ）、同様に点字変換行（ここでは「１」）が選択されると、図２４（ａ）に示すように、重畳行認可の場合の印刷領域Ｅｐ（図１０（ａ−３）参照）とは異なり、墨点並行の場合（図９（ａ−１）参照）と同様の重畳行否認の場合の印刷領域Ｅｐを設定した上で、その新たな印刷領域Ｅｐに、１行目「ラベルライタ部」のみの墨字画像Ｇｐ３０により墨字印刷を行った後、点字画像Ｇｂ０の点字打刻を行うことにより、外観画像Ｇ３０のような墨点併記のラベルＬ３０を作成できる。
【０１５０】
また、例えば２行確定直後であれば（Ｄ５３）、同図（ｂ）の２行目「営業課」までの墨字画像Ｇｐ３１により上記の新たな印刷領域Ｅｐに墨字印刷を行い、４行確定後であれば（Ｄ５４またはＤ５５）、同図（ｃ）の４行目「技術課」までの墨字画像Ｇｐ３２により墨字印刷を行った後、点字画像Ｇｂ０の点字打刻を行うことにより、それぞれ外観画像Ｇ３０〜Ｇ３２のような墨点併記のラベルＬ３０〜Ｌ３２を作成できる。
【０１５１】
すなわち、第１例〜第３例と同様に、編集対象の墨字列の少なくとも一部を指定して、点字情報を作成するので、点単位での点字情報の入力などを要することなく、点字情報を作成でき、点字打刻までを含めた全体としての操作性が向上する。
【０１５２】
ただし、この第４例では、重畳領域Ｅｃに対する墨字印刷（重畳印刷）を否認可能なので（図２２のＤ５０〜Ｄ５１）、否認されたときには（Ｄ５１）、重畳領域Ｅｃを除く領域を新たな印刷領域Ｅｐとして再設定する。このため、重畳領域Ｅｃに印刷したくない場合、すなわち打刻領域Ｅｂには一切の墨字印刷をしたくない場合等では、重畳印刷の否認により、それ以外の印刷領域にのみ墨字印刷を行うことができ、編集操作としての操作性がさらに向上する。
【０１５３】
なお、テープ幅１８ｍｍ（テープＴ２）の場合や、墨字行が１行の場合や、点字変換行の指定の仕方、ラベルの長さ方向に対する墨字行の割付け、メッセージ表示やＯＦマーク表示その他による配置不可の旨の報知、これらの各種バリエーション、等々については、第１例〜第３例等と同様なので、ここでは説明は省略する。
【０１５４】
ここで、本実施形態の上述の各例（第１例〜第４例）等で話題とした印刷領域Ｅｐ、打刻領域Ｅｂおよび重畳領域Ｅｃ等について、図２５を参照してさらに検討しておく。ここで、同図（ａ）〜（ｉ）は、本発明の適用対象となる配置（レイアウト）イメージを示している。
【０１５５】
まず、第１処理モード（墨点併記）且つ「墨点重ね」の場合であって、墨字印刷のための印刷領域Ｅｐと点字打刻のための打刻領域Ｅｂとがそれぞれ矩形であり、印刷領域Ｅｐと打刻領域Ｅｂとがテープ長手方向（図示左右方向）に沿って並行に並び、且つ、印刷領域Ｅｐと打刻領域Ｅｂとの少なくとも一部同士が重なるときの重なる領域である重畳領域Ｅｃが存在するときのイメージは、一般的には同図（ａ）のようになるが、本実施形態で前述の「墨点重ね」では、全領域を印刷領域Ｅｐとしてその一部に打刻領域Ｅｂが存在したので、同図（ｂ）に示すように、打刻領域Ｅｂ＝重畳領域Ｅｃとなっている（図１０等参照）。
【０１５６】
ただし、仮に同図（ａ）のような配置になっていても、上述した第１〜３例の重畳行の識別表示（重畳マーク等）は利用できるので、同図（ａ）（ｂ）のレイアウトは、双方とも本発明の適用対象となる。
【０１５７】
次に、第１処理モード（墨点併記）であっても、「墨点並行」の場合、同図（ｃ）に示すように、それぞれ矩形の印刷領域Ｅｐと打刻領域Ｅｂとが、テープ長手方向（図示左右方向）に沿って並行に且つテープ幅方向（図示上下方向）に隣接して、設定される（図９等参照）。この場合、上述の各例で話題とした重畳領域Ｅｃは存在しない。
【０１５８】
ただし、上述した重畳行否認の第４例のような場合、同図（ａ）（ｂ）の配置は、重畳領域Ｅｃを除いた新たな印刷領域Ｅｐを設定した時点で、同図（ｃ）のような配置になり、また、上述の同図（ａ）（ｂ）のような各種の領域設定が可能な場合に、墨字編集時に全行が重畳行でないことを認識し、そのことから同図（ｃ）のような領域設定であることを認識（把握）でき、その認識の上での編集ができることから、同図（ｃ）も適用対象となる。
【０１５９】
また、上述の実施形態とは逆に、全領域が矩形の打刻領域Ｅｂの場合で、その内部に同じく矩形の印刷領域Ｅｐを含む場合、同図（ｄ）に示すように、印刷領域Ｅｐ＝重畳領域Ｅｃとなるので、墨字行の全てが重畳行となる。この場合、重畳行が他の墨字行と識別できないので（全て重畳行なので）、適用対象外とも考えられるが、上述の同図（ａ）〜（ｃ）のような各種の領域設定が可能な場合に、墨字編集時に全行が重畳行であることを認識し、そのことから同図（ｄ）のような領域設定であることを認識（把握）でき、その認識の上での編集ができることから、同図（ｄ）も適用対象となる。
【０１６０】
また、同図（ｅ）のように、それぞれ矩形の印刷領域Ｅｐと打刻領域Ｅｂとが、テープ幅方向（図示上下方向）に沿って並行に且つその間に重畳領域Ｅｃが存在する場合、図示横方向に並ぶ墨字列（図示の「すみじ２」等）に対応する横書きの墨字行の単位で、重畳行等として扱うことはできないが、縦書きの場合には（図示の「すみじ１」等）、その縦書きの墨字行の単位で扱えるほか、（図示の「すみじ２」等であっても）墨字行単位でなく墨字単位で重畳するか否かを識別表示、すなわち例えば「じ２」等を重畳する墨字（以下「重畳文字」）として識別表示することはできるので、同図（ｅ）も同様に、本発明の適用対象となる。
【０１６１】
また、上述の同図（ａ）（ｂ）に対する同図（ｃ）と同様の理由から、上記の同図（ｅ）に対する同図（ｆ）も、各種の領域設定が可能な場合に、墨字編集時に、全ての縦書き墨字行が重畳行でないこと、あるいは全ての墨字が重畳文字でないこと、を認識（把握）でき、その認識の上での編集ができることから、同図（ｆ）も適用対象となる。
【０１６２】
ここで、上述の同図（ａ）〜（ｆ）は全て矩形領域を対象としたが、同図（ｇ）（ｈ）のように、印刷領域Ｅｐが矩形でない場合や、同図（ｉ）のように、双方とも矩形でない場合も、横書きまたは縦書きの墨字行の単位や墨字の単位で、重畳行や重畳文字であるか否かを、表示により認識（把握）でき、その認識の上での編集ができるときには、本発明の適用対象となる。
【０１６３】
なお、上述の実施形態では、全てが重畳文字の墨字行のみを重畳行としたが、重畳文字が含まれるか否かを認識できれば、その墨字行の扱い方を変えることが可能になるので、少なくとも１文字の重畳文字を含む墨字行を重畳行としても良い。
【０１６４】
また、上述の実施形態では、テープＴを処理シートとしたが、上述のような各種の印刷領域Ｅｐや打刻領域Ｅｂやこれらが重畳する重畳領域Ｅｃを設定でき且つこれらの領域に墨字印刷や点字打刻が行える処理シートであれば、長尺状のもの（テープ）でなくても適用できる。
【０１６５】
上述のように、本発明では、墨字印刷のための墨字（墨字列）を編集するに際して、点字打刻のための打刻領域Ｅｂと墨字印刷のための印刷領域Ｅｐとの少なくとも一部同士が重なるときに、その重なる領域（重畳領域）Ｅｃに少なくとも一部が印刷される墨字（重畳文字）が、墨字列に含まれるか否か識別可能に表示するので、共通のテープ（処理シート）Ｔに配置される点字と重なるか否かを認識できる。また、重畳文字を含む墨字列と含まない墨字列がある場合には、重畳領域Ｅｃの境界を認識できる。したがって、共通のテープ（処理シート）Ｔに配置される点字との重なり部分を認識しながら、墨字の編集ができ、これにより、点字との重なりを考慮した編集が可能になる。
【０１６６】
なお、この場合の重畳領域Ｅｃは、打刻領域Ｅｂと印刷領域Ｅｐとの少なくとも一部同士が重なる領域なので、打刻領域Ｅｂ内に印刷領域Ｅｐが全て含まれるときには、印刷領域Ｅｐ全てが重畳領域Ｅｃとなり、印刷領域Ｅｐ内に打刻領域Ｅｂが全て含まれるときには、打刻領域Ｅｂ全てが重畳領域Ｅｃとなり、いずれでもないときには、相互に重なっている領域のみが重畳領域Ｅｃとなる。
【０１６７】
また、重畳領域Ｅｃに少なくとも一部が印刷される墨字を重畳文字とするので、文字通り一部が重畳領域Ｅｃ内に印刷される墨字も、全体が重畳領域Ｅｃ内に印刷される墨字も、同様に重畳文字となる。また、この場合の重畳文字を含む墨字列としては、重畳文字の１文字のみの墨字列、重畳文字のみの複数文字の墨字列、重畳文字でない墨字と重畳文字とが混在する墨字列、などがある。
【０１６８】
なお、１行以上の墨字行を印刷領域Ｅｐに配置する場合、重畳領域Ｅｃ内に一部または全部が印刷（配置）される墨字行も有り得る。この場合の墨字行は墨字列を含み、墨字列は１以上の墨字から成るので、墨字行も１以上の墨字から成るものとする。
【０１６９】
例えば前述の図２５（ｅ）の墨字列「すみじ２」は、前述では重畳行としなかったが、重畳文字を含む墨字列という意味（定義）では、「じ」や「２」が重畳文字なので、この場合の「すみじ２」は重畳行となる。また、この場合、墨字列は１以上の墨字から成るので、各墨字「す」「み」「じ」「２」は、それぞれ単独で墨字列であり、また、墨字行とも成り得る。また、このため、「じ」や「２」を含む墨字列である「すみじ」「みじ」「みじ２」「じ２」も墨字行として扱える。
【０１７０】
そして、これらの場合、墨字行の単位で、重畳行（重畳文字を含む墨字行）か否かを判別して、その結果（重畳行か否か）を識別可能に表示することにより、墨字行の単位で、共通のテープ（処理シート）Ｔに配置される点字と重なるか否かを認識でき、また、重畳文字を含む墨字行（重畳行）と含まない墨字行がある場合には、重畳領域Ｅｃの境界を認識できる。
【０１７１】
したがって、この場合、共通のテープ（処理シート）Ｔに配置される点字との重なり部分を、墨字行の単位で認識でき、これにより、どの墨字行が点字と重なるか（重畳領域Ｅｃに印刷されるか）等を容易に把握でき、それを参考にしながら、墨字の編集が容易にできる。
【０１７２】
また、前述の図２５（ａ）〜（ｉ）のうち、同図（ａ）〜（ｄ）および（ｇ）では、重畳領域Ｅｃの印刷領域Ｅｐ側の境界線は、横書きの墨字列（例えば「すみじ」「すみじ１」「すみじ２」等）と並行であり、同図（ｅ）（ｆ）および（ｈ）では、縦書きの墨字列（例えば「すみじ１」等）と並行である。
【０１７３】
これらのように、重畳領域Ｅｃの印刷領域Ｅｐ側の境界線が墨字行と並行であれば、同一墨字行内の各墨字は、その境界線より重畳領域Ｅｃ側に一部または全部が配置されるか否かについて、一括して扱えるので、この場合、さらに容易に墨字行単位で重畳行か否かを判別し、重畳行と判別された墨字行を、他の（重畳行でない）墨字行と識別可能に表示でき、共通の処理シート（テープＴ等）に配置される点字との重なり部分を、墨字行の単位で認識でき、これにより、どの墨字行が点字と重なるか（重畳領域に印刷されるか）をさらに容易に把握でき、それを参考にしながら、墨字の編集がさらに容易にできる。
【０１７４】
なお、上述では、主に、墨字行の単位で重畳するか否か（すなわち重畳行か否か）を判断し、１文字（墨字行＝１の墨字）の場合もこれに含まれるが、さらに明確に、墨字の１文字の単位で重畳するか否か（すなわち重畳文字か否か）を判断して、１文字単位で識別可能に表示すれば、点字との重なりをさらに肌理細かく認識（把握）でき、それを参考にしながら、墨字の編集が容易にできる。
【０１７５】
ここで、上述の重畳行の識別表示では、重畳マークを付したり、重畳行の一部または全部（少なくとも一部）や行番号に対して文字装飾を施すものとしたが、例えば墨字（重畳文字）の１文字の単位で重畳マークや文字装飾を施すことにより、各重畳文字にも同様の識別表示ができる。
【０１７６】
なお、上述した実施形態において採用された文字情報処理装置としての機能あるいは各種処理方法（文字情報処理方法など）は、上述のラベル作成装置１ばかりでなく、プログラム処理可能な各種の装置によって処理されるプログラムとして適用でき、その種のプログラムを記憶するための記憶媒体にも適用でき、この種のプログラムを記憶しておいて、あるいは記憶媒体等から読み出して、実行することにより、共通の処理シートに配置される点字との重なり部分を認識しながら、墨字の編集ができる。
【０１７７】
また、上記の記憶媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。もちろん、その他、要旨を逸脱しない範囲で、適宜変更も可能である。
【図面の簡単な説明】
【０１７８】
【図１】実施形態に係るラベル作成装置の外観斜視図。
【図２】図１のラベル作成装置の開蓋状態の外観斜視図。
【図３】図１のラベル作成装置の制御系の概略ブロック図。
【図４】６点点字の説明図および打刻凸部の断面図。
【図５】打刻ユニットの平面図および断面図。
【図６】点字打刻部におけるテープの搬送を説明する説明図。
【図７】ラベル作成装置の全体処理のフローチャート。
【図８】図７の処理モードに関する補足説明図。
【図９】図７のテープ幅の相違に関する墨点並行設定時の補足説明図。
【図１０】墨点重ね設定時の、図９と同様の補足説明図。
【図１１】第１例によるラベル作成のための墨字編集を行う際の操作例の説明図。
【図１２】図１１に続く、図１１と同様の説明図。
【図１３】第１例で作成可能なラベルの一例を示す説明図。
【図１４】図１１に続く他の一例を示す、図１１と同様の説明図。
【図１５】他の一例を示す、図１３と同様の説明図。
【図１６】第２例の、図１１と同様の説明図。
【図１７】第２例の、図１３と同様の説明図。
【図１８】第３例の、図１１と同様の説明図。
【図１９】第３例のためのスタイル〜文字サイズの選択・設定の階層メニューを示す説明図。
【図２０】図１８に続く、図１８と同様の説明図。
【図２１】図２０に続く、図１８と同様の説明図および第３例の、図１３と同様の説明図。
【図２２】第４例の、図１１と同様の説明図。
【図２３】図２２に続く、図２２と同様の説明図。
【図２４】第４例の、図１１と同様の説明図。
【図２５】印刷領域、打刻領域および重畳領域の配置イメージを示す説明図。
【符号の説明】
【０１７９】
１…ラベル作成装置（文字情報処理装置）  ２…装置ケース  ３…キーボード  ４…ディスプレイ  ７…印刷ヘッド  １１０…操作部  １２０…墨字印刷部  １４０…切断部  １５０…点字打刻部  １７０…検出部  １８０…駆動部  １９０…電源部  ２００…制御部  Ｂ…点字  Ｃ…テープカートリッジ  Ｄｘｘ…表示画面  Ｅｂ…点字打刻領域（打刻領域）  Ｅｃ…重畳領域  Ｅｐ…墨字印刷領域（印刷領域）  Ｇｘｘ…画像  Ｌｘｘ…ラベル  Ｐ…墨字  Ｔ、Ｔ１、Ｔ２、Ｔ３……テープ
【図１】
2006198840.tif 000003
【図２】
2006198840.tif 000004
【図３】
2006198840.tif 000005
【図４】
2006198840.tif 000006
【図５】
2006198840.tif 000007
【図６】
2006198840.tif 000008
【図７】
2006198840.tif 000009
【図８】
2006198840.tif 000010
【図９】
2006198840.tif 000011
【図１０】
2006198840.tif 000012
【図１１】
2006198840.tif 000013
【図１２】
2006198840.tif 000014
【図１３】
2006198840.tif 000015
【図１４】
2006198840.tif 000016
【図１５】
2006198840.tif 000017
【図１６】
2006198840.tif 000018
【図１７】
2006198840.tif 000019
【図１８】
2006198840.tif 000020
【図１９】
2006198840.tif 000021
【図２０】
2006198840.tif 000022
【図２１】
2006198840.tif 000023
【図２２】
2006198840.tif 000024
【図２３】
2006198840.tif 000025
【図２４】
2006198840.tif 000026
【図２５】
2006198840.tif 000027